(57)【要約】【課題】操作つまみを第２方向に向かう異なる位置においてそれぞれ第１方向に移動できる多方向スライド型電子部品を提供する。【解決手段】ケース１０と、第１，第２方向Ａ１，Ａ２に移動する操作つまみ５０と、操作つまみ５０と一体に移動する駆動体７０と、駆動体７０の第１方向Ａ１への移動に伴って駆動される第１移動検出体１５０と、駆動体７０の第２方向Ａ２への移動に伴って駆動される第２移動検出体２７０とを具備する。第１移動検出体１５０は、第１方向Ａ１に移動するスライド移動体２１０と、スライド移動体２１０の移動に伴って電気的出力を変化する摺動子２００等とを有する。スライド移動体２１０には第２方向Ａ２に向かって突出する駆動体係合部２１３，２１５を設ける。駆動体７０には駆動体係合部２１３，２１５に係合して第１方向Ａ１に対してのみスライド移動体２１０を移動させるスライド移動体係合部７９，８１を設ける。【選択図】図７
2011018601.tif 000002
【特許請求の範囲】
【請求項１】
ケースと、
前記ケースの上面に沿って交差する第１，第２方向に移動自在に設置される操作つまみと、
前記ケースの下面側に設置され、前記操作つまみと一体に移動する駆動体と、
前記駆動体の第１方向への移動に伴って駆動されて電気的出力を変化する第１移動検出体と、
前記駆動体の第２方向への移動に伴って駆動されて電気的出力を変化する第２移動検出体と、を具備し、
前記第１移動検出体は、第１方向に移動するスライド移動体と、スライド移動体の移動に伴って電気的出力を変化する電気的機能部とを有して構成され、
前記スライド移動体には、第２方向に向かって突出する駆動体係合部を設け、
前記駆動体には、前記スライド移動体の駆動体係合部に係合して第１方向に対してはスライド移動体を駆動体とともに移動させ、第２方向に対しては駆動体のみを移動させるスライド移動体係合部を設けたことを特徴とする多方向スライド型電子部品。
【請求項２】
請求項１に記載の多方向スライド型電子部品であって、
前記第１移動検出体は、前記スライド移動体を第１方向の中立位置に自動復帰させるスライド移動体弾発部材を有し、
一方前記駆動体を前記第２方向の一方の側に向けて弾発する駆動体弾発部材を設置し、
これらスライド移動体弾発部材および駆動体弾発部材によって駆動体をその中立静止位置に自動復帰させることを特徴とする多方向スライド型電子部品。
【請求項３】
請求項２に記載の多方向スライド型電子部品であって、
前記駆動体とケースの間に、駆動体の第１方向の中立位置から第１方向に向けて移動した駆動体の第２方向への移動を阻止するガイド機構を設けたことを特徴とする多方向スライド型電子部品。
【発明の詳細な説明】
【技術分野】
【０００１】
本発明は、操作つまみをケースの上面に沿って、直交方向などの交差する２方向に向けて移動することでその電気的出力を変化させる多方向スライド型電子部品に関するものである。
【背景技術】
【０００２】
従来、たとえば携帯用デジタルカメラなどの電子機器の外装ケースの表面には、各種機能操作用の操作つまみが取り付けられている。そしてこれら操作つまみの中には、たとえばズーム操作用の操作つまみのように、ケースの表面に沿うようにスライド移動させる構造のものがある。この種の操作つまみは通常スライド型電子部品となっており、ケース上面の操作つまみをスライド移動させることで、ケース下面側に設置したスライド型電子部品の本体を駆動し、その電気的出力を変化させる（たとえば特許文献１参照）。
【０００３】
一方近年、電子機器の機能の多様化などの要望により、前記ケース上をスライド移動する操作つまみのスライド移動を、１方向（第１方向）だけでなく、第１方向に直交する第２方向に向けても行え、さらに第２方向に向かう異なる複数（たとえば２つ）の位置の何れの位置においてもその位置から第１方向に移動できる構造の多方向スライド型電子部品が要求されている。
【０００４】
この機能は、たとえば操作つまみを第２方向の一方の端部側に移動した状態で第１方向に移動すれば通常のズーム動作が行え、第２方向の他方の端部側に移動した状態で第１方向に移動すれば低速のズーム動作（または高速のズーム動作）が行えるように使用する場合などに用いて好適である。
【先行技術文献】
【特許文献】
【０００５】
【特許文献１】特開２００７−５３０１８号公報
【発明の概要】
【発明が解決しようとする課題】
【０００６】
しかしながら従来、上記のような操作つまみを多方向へ移動できる機能を有する多方向スライド型電子部品であって、構造が簡単で、その操作がスムーズに行えるものはなかった。
【０００７】
本発明は上述の点に鑑みてなされたものでありその目的は、操作つまみを、第２方向に向かう異なる複数の位置においてそれぞれ第１方向にスムーズかつ確実に移動することができて、各移動位置において異なる電気的出力を得ることができる、構造の簡単な多方向スライド型電子部品を提供することにある。
【課題を解決するための手段】
【０００８】
本願請求項１に記載の発明は、ケースと、前記ケースの上面に沿って交差する第１，第２方向に移動自在に設置される操作つまみと、前記ケースの下面側に設置され、前記操作つまみと一体に移動する駆動体と、前記駆動体の第１方向への移動に伴って駆動されて電気的出力を変化する第１移動検出体と、前記駆動体の第２方向への移動に伴って駆動されて電気的出力を変化する第２移動検出体と、を具備し、前記第１移動検出体は、第１方向に移動するスライド移動体と、スライド移動体の移動に伴って電気的出力を変化する電気的機能部とを有して構成され、前記スライド移動体には、第２方向に向かって突出する駆動体係合部を設け、前記駆動体には、前記スライド移動体の駆動体係合部に係合して第１方向に対してはスライド移動体を駆動体とともに移動させ、第２方向に対しては駆動体のみを移動させるスライド移動体係合部を設けたことを特徴とする多方向スライド型電子部品にある。
【０００９】
本願請求項２に記載の発明は、請求項１に記載の多方向スライド型電子部品であって、前記第１移動検出体は、前記スライド移動体を第１方向の中立位置に自動復帰させるスライド移動体弾発部材を有し、一方前記駆動体を前記第２方向の一方の側に向けて弾発する駆動体弾発部材を設置し、これらスライド移動体弾発部材および駆動体弾発部材によって駆動体をその中立静止位置に自動復帰させることを特徴とする多方向スライド型電子部品にある。
【００１０】
本願請求項３に記載の発明は、請求項２に記載の多方向スライド型電子部品であって、前記駆動体とケースの間に、駆動体の第１方向の中立位置から第１方向に向けて移動した駆動体の第２方向への移動を阻止するガイド機構を設けたことを特徴とする多方向スライド型電子部品にある。
【発明の効果】
【００１１】
請求項１に記載の発明によれば、簡単な構造で、操作つまみの第１方向への移動の際はスライド移動体を一体に移動でき、操作つまみの第２方向への移動の際はスライド移動体を元の位置にそのまま留まらせることができる。そして操作つまみを第２方向に向かう異なる位置においてそれぞれ第１方向にスムーズかつ確実に移動することができて、各移動位置において異なる電気的出力を得ることができる。
【００１２】
請求項２に記載の発明によれば、簡単な構造で容易かつ確実に、駆動体および操作つまみを中立静止位置に自動復帰させることができる。
【００１３】
請求項３に記載の発明によれば、駆動体および操作つまみを第１方向の中立位置からは第２方向に移動できるが、第１方向の中立位置から第１方向に向けて移動した位置からは第２方向へ移動できず、そのような使用方法が求められる場合に好適な構造となる。
【図面の簡単な説明】
【００１４】
【図１】多方向スライド型電子部品１の斜視図である。
【図２】多方向スライド型電子部品１（上部の部品）を上側から見た分解斜視図である。
【図３】多方向スライド型電子部品１（下部の部品）を上側から見た分解斜視図である。
【図４】多方向スライド型電子部品１（上部の部品）を下側から見た分解斜視図である。
【図５】多方向スライド型電子部品１（下部の部品）を下側から見た分解斜視図である。
【図６】駆動体７０のスライド移動体係合部７９（８１）とスライド移動体２１０の駆動体係合部２１３（２１５）との係合状態を示す図である。
【図７】多方向スライド型電子部品１の概略断面図である。
【図８】操作つまみ５０を中立静止位置から第２方向Ａ２に移動した状態での多方向スライド型電子部品１の概略断面図である。
【図９】操作つまみ５０が中立静止位置でのケース１０のガイド突起２１と駆動体７０のガイド凹部７３との位置関係を示す図である。
【図１０】操作つまみ５０を中立静止位置から第１方向Ａ１に移動した際のケース１０のガイド突起２１と駆動体７０のガイド凹部７３との位置関係を示す図である。
【図１１】操作つまみ５０を中立静止位置から第２方向Ａ２に移動した際のケース１０のガイド突起２１と駆動体７０のガイド凹部７３との位置関係を示す図である。
【図１２】操作つまみ５０を図１１の位置から第１方向Ａ１に移動した際のケース１０のガイド突起２１と駆動体７０のガイド凹部７３との位置関係を示す図である。
【図１３】駆動体７０を下面側の別の角度から見た斜視図である。
【発明を実施するための形態】
【００１５】
以下、本発明の実施形態を図面を参照して詳細に説明する。図１は本発明の１実施形態を適用してなる多方向スライド型電子部品１の斜視図、図２は多方向スライド型電子部品１（上部の部品）を上側から見た分解斜視図、図３は多方向スライド型電子部品１（下部の部品）を上側から見た分解斜視図、図４は多方向スライド型電子部品１（上部の部品）を下側から見た分解斜視図、図５は多方向スライド型電子部品１（下部の部品）を下側から見た分解斜視図である。なお以下の説明において、「上」とは下記する駆動体７０から操作つまみ５０を見る方向をいい、「下」とはその反対方向をいうものとする。
【００１６】
多方向スライド型電子部品１は、図１〜図５に示すように、ケース１０と、ケース１０の上面側に設置される操作つまみ５０および摺動板６０と、ケース１０の下面側に設置される駆動体７０および駆動体弾発部材１００および第１，第２移動検出体１５０，２７０とを具備して構成されている。なお図２に示す矢印Ａ１は第１方向、矢印Ａ２は第２方向を示しており、これら第１，第２方向Ａ１，Ａ２は、ケース１０の上面に沿って相互に直交する方向を向いている。
【００１７】
ケース１０は、合成樹脂（たとえばポリカーボネート（ＰＣ）樹脂）の一体成型品であり、その上面に操作つまみ５０を挿入する浅い略矩形凹状のつまみ収納凹部１１を設け、つまみ収納凹部１１の内部に上下に貫通する略矩形状の貫通部１３を設けて構成されている。つまみ収納凹部１１の表面は第１方向Ａ１に向けて少し円弧状に上方向に凸となるように湾曲している。ケース１０の下面の貫通部１３を挟んだその両側には、第１方向Ａ１に向けて伸びる線状突起からなる駆動体ガイド部１５，１７が形成されている。駆動体ガイド部１５，１７はその間の凹部内に駆動体７０を挿入して駆動体７０を第２方向Ａ２に向けて移動した際にその移動範囲を所定の移動範囲に規制するものである。駆動体ガイド部１７の中央には、下記する駆動体弾発部材１００の弾発体１１０を挿通するための切欠き１９が形成されている。
【００１８】
ケース１０の下面の前記駆動体ガイド部１５，１７内側の４隅近傍には、第１方向Ａ１に向けて延びる棒状突起からなるガイド突起２１が形成されている。これら４つのガイド突起２１は、下記する駆動体７０の４つのガイド凹部７３とともに、ガイド機構を構成する。
【００１９】
ケース１０の下面の前記駆動体ガイド部１７の外側位置には、下方向に突出して下記する収納ケース１３０の各取付挿入部１３３を取り付ける４本の小突起からなる取付部２３が設けられ、またケース１０の下面の外周辺近傍位置には５本の小突起からなる取付部１９が突出して設けられている。
【００２０】
操作つまみ５０は合成樹脂（たとえばＡＢＳ樹脂）を略矩形状に成形して構成されており、その下面中央には下方向に突出する一対の小突起状の取付部５１が形成されている。
【００２１】
摺動板６０は表面が滑らかで摺動性の良い材料（たとえばフッ素樹脂）を、薄板状で前記操作つまみ５０とほぼ同一の外形形状に形成して構成されている。摺動板６０の中央には、前記操作つまみ５０の取付部５１を挿通する矩形状の挿通孔６１が設けられている。
【００２２】
図１３は駆動体７０を下面側の別の角度から見た斜視図である。同図および図２，図４に示すように駆動体７０は合成樹脂（たとえばＡＢＳ樹脂）を略矩形板状に成形して構成されており、その中央には前記操作つまみ５０の一対の取付部５１を挿通する一対の貫通する小孔からなる取付係合部７１が設けられている。また駆動体７０の上面の４隅近傍には、第１方向Ａ１に向かって切り欠かれて外周辺に至る凹状の４つのガイド凹部７３が設けられている。駆動体７０の４つの外周側面の内の第２方向Ａ２に直交する一方の外周側面（駆動体弾発部材１００を設置する側の側面）は、下記する駆動体弾発部材１００の弾発体１１０の当接部１１３を弾接させる弾接面７５となっている。駆動体７０の下面の前記一対の取付係合部７１を挟んだその両側位置（第２方向Ａ２に向かって並ぶ位置）には、一対ずつ下方向に向かって突起部７７を突出することでその間に凹状のスライド移動体係合部７９，８１を形成している。一対の突起部７７の対向する内周側側面（スライド移動体係合部７９，８１の両側面）は上下に向かう平行面となっている。また駆動体７０の下面のスライド移動体係合部８１の弾接面７５側には、略平板形状の突出部８３が下方向に向かって突出している。突出部８３の弾接面７５側を向く面は検出体当接面８５となっている。検出体当接面８５は弾接面７５よりも下方の位置まで張り出している。突出部８３の中央には、検出体当接面８５を第２方向Ａ２に向けて貫通する挿通部８７が設けられている。検出体当接面８５はこの駆動体７０が第１方向Ａ１に移動しても常に下記する第２移動検出体２７０の押圧部材２７３に対向できる寸法形状（横長形状）に形成されている。また前記弾接面７５はこの駆動体７０が第１方向Ａ１に移動しても常に下記する駆動体弾発部材１００の弾発体１１０の当接部１１３に対向できる寸法形状（横長形状）に形成されている。
【００２３】
駆動体弾発部材１００は、弾発体１１０と弾発バネ１２０と収納ケース１３０とを具備して構成されている。弾発体１１０は合成樹脂（たとえばＰＯＭ樹脂）を棒状に成形して構成されており、円柱状の基部１１１の一端部にその径を大きくしてなる当接部１１３を設けている。当接部１１３の先端面は球面状となっている。当接面１１３の基部１１１を接続する側の面はバネ受け部１１５となっている。弾発バネ１２０は圧縮コイルバネであり、前記基部１１１に挿入され、バネ受け部１１５に当接する。
【００２４】
収納ケース１３０は合成樹脂（たとえばＡＢＳ樹脂）を略矩形状に成形して構成されている。収納ケース１３０は第２方向Ａ２に向けて長尺であり、ケース１０側を向く面にその面に平行で外方に舌片状に突出する４つの取付基部１３１を設け、それらの内部にそれぞれ小孔からなる取付挿入部１３３を設けている。各取付挿入部１３３は前記ケース１０の各取付部２３に対向してこれらを挿入する位置に設けられている。収納ケース１３０にはその長手方向（第２方向Ａ２）に向かって貫通する収納部１３５が設けられている。収納部１３５の内径は、前記弾発バネ１２０および弾発体１１０の当接部１１３を収納できる内径としており、一方の端部側の内径部分だけを弾発バネ１２０の外径よりも小さく且つ弾発体１１０の基部１１１の外径よりも大きくして基部１１１のみが外部に突出できるようにしている。
【００２５】
第１移動検出体１５０は、基台１６０と、基台１６０上に載置される基板１８０と、下面に摺動子２００を取り付け第１方向に移動するスライド移動体２１０と、スライド移動体２１０を第１方向Ａ１の中立位置に自動復帰させるスライド移動体弾発部材２３０と、ケース２４０とを具備して構成されている。基台１６０は合成樹脂（たとえばＡＢＳ樹脂）を略平板状に成形して構成されており、その外周近傍の前記ケース１０の５つの取付部１９に対向する位置にこれら取付部１９を挿入する小孔からなる挿入部１６１を設けている。また下記するケース２４０の各係止部２４５を挿入する小孔からなる係止部１６３も設けている。
【００２６】
基板１８０は、この例では可撓性を有する合成樹脂フイルム（たとえばポリエチレンテレフタレートフイルム）の表面に所望の回路パターンを設けて構成されており、その上面の所定位置に下記する摺動子２００が摺接する摺接パターン（この例では一方が抵抗体パターン、他方がコモンパターンからなる可変抵抗器用抵抗パターン）１８１を設け、また摺接パターン１８１の周囲の４か所（前記基台１６０の各係止部１６３に対向する位置）に小孔または切欠きからなる係止部１８３を設け、さらに基台１６０に設けた５つの挿入部１６１の内の２つの挿入部１６１に対向する位置に小孔からなる挿入部１８５を設けている。基板１８０上には下記する第２移動検出体２７０も取り付けられている。
【００２７】
スライド移動体２１０は、合成樹脂（たとえばＰＯＭ樹脂）の一体成型品であり、略矩形状の本体部２１１と、本体部２１１の外周側面の内の第１方向Ａ１と平行な両外周側面の中央から第２方向Ａ２に向けて突出する一対の駆動体係合部２１３，２１５とを具備して構成されている。本体部２１１の上面には、下記するスライド移動体弾発部材２３０を収納する第１方向Ａ１に長尺な細溝からなる弾発部材収納部２１７が設けられ、本体部２１１の下面には小突起からなる摺動子取付部２１９が設けられている。弾発部材収納部２１７の両端はその幅寸法を狭くすることで、スライド移動体弾発部材２３０が抜け出さないようにすると同時に、下記するケース２４０の弾発部材係止部２４３が挿入できるようにしている。
【００２８】
駆動体係合部２１３，２１５は略棒状であって、前記駆動体７０のスライド移動体係合部７９，８１をぴったり挿入する外径寸法を有し、少なくともスライド移動体係合部７９，８１のそれぞれの両側面（一対の突起部７７の対向する平行な内周側側面）に当接する外周側面部分は円弧面形状に形成されている。さらに詳細にいえば、駆動体係合部２１３，２１５は、本体部２１１の外周側面から突出する支持部２１３ａ，２１５ａの上辺上に、略円柱形状の係合部２１３ｂ、２１５ｂを取り付けて構成され、係合部２１３ｂ、２１５ｂの円弧状の外周側面を駆動体７０のスライド移動体係合部７９，８１の両側面が当接する部分としている。
【００２９】
摺動子２００は弾性金属板製であり、略矩形状の基部２０１の外周の一辺から一対の摺動冊子２０３，２０３を突出し、これら摺動冊子２０３，２０３を根元部分で基部２０１の下面側に折り曲げて構成されている。基部２０１には一対の小孔２０５が設けられている。摺動子２００はその基部２０１が図５に示すようにスライド移動体２１０の本体部２１１の下面に当接され、その際スライド移動体２１０の摺動子取付部２１９を摺動子２００の小孔２０５に挿入し、摺動子取付部２１９の先端を熱かしめすることによって取り付けられる。この摺動子２００と前記摺接パターン１８１とによって第１移動検出体１５０の電気的機能部が構成される。
【００３０】
スライド移動体弾発部材２３０は、圧縮コイルバネからなる弾発バネ２３１と、その両端に取り付けられるバネ端保持部材２３３，２３３とを具備して構成されている。バネ端保持部材２３３，２３３は消音のため、弾性材（たとえばシリコンゴム）を使用している。なお図５においては、スライド移動体弾発部材２３０はスライド移動体２１０に装着されているため、図示されていない。
【００３１】
ケース２４０は、金属板（たとえばステンレス板）を下面が解放された略箱型に形成して構成されており、内部の移動体収納部２４１は前記スライド移動体２１０の本体部２１１を第１方向Ａ１に向けてのみ所定長さ移動自在とできる寸法形状としている。ケース２４０の上面の前記スライド移動体２１０に設けた弾発部材収納部２１７に対向する位置には、一対の弾発部材係止部２４３，２４３が形成されている。弾発部材係止部２４３，２４３は第１方向Ａ１に向けて一対のスリットを並列に設けてその中央の細帯状の部分を下方向にＬ字状に折り曲げて構成されており、折り曲げて対向する部分が前記弾発部材係止部２４３，２４３となっている。ケース２４０の下端辺の前記基板１８０に設けた各係止部１８３に対向する４か所の位置からは舌片状の係止部２４５が突出している。ケース２４０の第１方向Ａ１に平行な一対の外周側面には、それぞれその下辺を略矩形状に切り欠いてなる駆動体係合部挿通部２４７，２４７が設けられている。
【００３２】
第２移動検出体２７０は従来公知の検出スイッチであり、合成樹脂製のケース２７１の外周側面から外部に押圧部材２７３を突出し、基板１８０の上面に取り付けて構成されている。そして押圧部材２７３をケース２７１内（第２方向Ａ２）に押し込むように押圧することで、第２移動検出体２７０の電気的出力であるオンオフ信号が切り替わる。オンオフ信号は基板１８０に設けた図示しないオンオフパターンから外部に取り出される。押圧部材２７３への押圧を解除すれば、ケース２７１の内部に収納している図示しない弾発バネによって、押圧部材２７３は元の位置に自動復帰する。なお第２移動検出体２７０は、基台１６０と、基板１８０と、基板１８０上に取り付けられるケース２７１と、押圧部材２７３と、ケース２７１内に内蔵される図示しない各種部品（弾発バネや摺動子など）によって構成される。
【００３３】
次に多方向スライド型電子部品１の組立方法を説明する。まず図３に示すように基台１６０上に基板１８０を載置し、その上にケース２７１などを組み立てることで第２移動検出体２７０を取り付ける。
【００３４】
次に摺動子２００を取り付けたスライド移動体２１０の弾発部材収納部２１７内に、両端にバネ端保持部材２３３，２３３を取り付けた弾発バネ２３１を挿入し、次にこのスライド移動体２１０の本体部２１１をケース２４０の移動体収納部２４１内に収納し、さらにこのケース２４０を基板１８０上に載置し、その際ケース２４０の各係止部２４５を基板１８０の各係止部１８３と基台１６０の各係止部１６３に挿入し、各係止部２４５の先端を基台１６０の下面で折り曲げ、第１移動検出体１５０を構成する。このとき摺動子２００の各摺動冊子２０３，２０３は基板１８０の各摺接パターン１８１に弾接する。またこのときスライド移動体２１０の両駆動体係合部２１３，２１５はケース２４０の両駆動体係合部挿通部２４７，２４７を通してケース２４０の外部に突出している。またこのときスライド移動体弾発部材２３０のバネ端保持部材２３３，２３３の両端面は、スライド移動体２１０の弾発部材収納部２１７の両端面に弾接すると同時に、ケース２４０の両弾発部材係止部２４３，２４３に弾接し、これによってスライド移動体２１０は中立位置であるケース２４０の中央に位置している。
【００３５】
次に弾発体１１０の基部１１１に弾発バネ１２０を装着したものを、収納ケース１３０の収納部１３５内に収納し（図４参照）、これをケース１０の下面に設置することでケース１０の各取付部２３を収納ケース１３０の各取付挿入部１３３に挿入し、各取付部２３の先端を熱かしめすることで、駆動体弾発部材１００をケース１０の下面に取り付ける。
【００３６】
次にケース１０の上面のつまみ収納凹部１１内に摺動板６０と操作つまみ５０とを重ねて載置し、同時にケース１０の下面の駆動体ガイド部１５，１７の間に駆動体７０を挿入する。このとき、操作つまみ５０の一対の取付部５１を摺動板６０の挿通孔６１とケース１０の貫通部１３を介して駆動体７０の一対の取付係合部７１に挿入し、両取付部５１の先端を熱かしめすることで操作つまみ５０と摺動板６０と駆動体７０とを一体化する。このとき駆動体７０の弾接面７５には弾発体１１０の当接部１１３が弾接しており、これによって駆動体７０は常に駆動体弾発部材１００側から離れる方向に押圧される。
【００３７】
そしてこのケース１０の下面側に、前記第１，第２移動検出体１５０，２７０と基板１８０とを取り付けた基台１６０を設置し、ケース１０の各取付部１９を基板１８０の２つの挿入部１８５と基台１６０の各挿入部１６１に挿入し、基台１６０の下面から突出する各取付部１９を熱かしめすれば、多方向スライド型電子部品１が完成する。このときスライド移動体２１０の駆動体係合部２１３，２１５は、図６に示すように、それぞれ駆動体７０のスライド移動体係合部７９，８１にぴったり挿入される。なお上記組立手順はその一例であり、他の各種異なる組立手順を用いて組み立てても良いことはいうまでもない。
【００３８】
次に多方向スライド型電子部品１の動作を説明する。図７は操作つまみ５０を操作していない状態での多方向スライド型電子部品１の概略断面図（図１のＡ−Ａ概略断面図）である。また図９は操作つまみ５０を操作していない状態でのケース１０のガイド突起２１と駆動体７０のガイド凹部７３との位置関係を示す図である。これらの図に示すように、駆動体７０の弾接面７５に駆動体弾発部材１００の弾発体１１０が弾接することで、駆動体７０および操作つまみ５０は第２方向Ａ２の一端側（図７，図９の右端側）に移動し、同時に第１移動検出体１５０のスライド移動体弾発部材２３０がスライド移動体２１０を第１方向Ａ１の中立位置（すなわち第１方向Ａ１の中央位置）に保持することで、駆動体７０および操作つまみ５０は中立静止位置に位置している。また駆動体７０の検出体当接面８５に対向する位置に所定距離離間して第２移動検出体２７０の押圧部材２７３が位置している。またこのときスライド移動体２１０の一方の駆動体係合部２１５は、駆動体７０の挿通部８７に挿入され、その分、多方向スライド型電子部品１の第２方向Ａ２の寸法を小さくしている。
【００３９】
図９〜図１２の左端側には駆動体７０の移動軌跡Ｔが図示されているが、移動軌跡Ｔは以下で説明するようにＨ型となっており、図９に示す現在の位置、すなわち駆動体７０および操作つまみ５０が第２方向Ａ２の一端側（右端側）に移動しかつ第１方向Ａ１の中立位置（中央位置）に位置することで、駆動体７０および操作つまみ５０は移動軌跡Ｔ中の点Ｔ１、すなわち中立静止位置に位置している。またこのとき駆動体７０の４つのガイド凹部７３はケース１０のいずれのガイド突起２１にも係合していない。
【００４０】
次にたとえば操作つまみ５０を操作することで、スライド移動体弾発部材２３０の弾発力に抗して、操作つまみ５０を第１方向Ａ１の一方側（図９，図１０の上側）に移動するとこれと一体に駆動体７０が同一方向に移動し、図１０に示すように、移動軌跡Ｔ中の点Ｔ２に位置する。このとき図６に示すように駆動体７０のスライド移動体係合部７９，８１とスライド移動体２１０の駆動体係合部２１３，２１５は第１方向Ａ１については一体に移動するように係合しているので、スライド移動体２１０は駆動体７０とともに第１方向Ａ１の一方側に移動する。これによって摺動子２００が摺接パターン１８１上を摺動し、その位置に応じた抵抗値の出力信号が出力される。なおつまみ収納凹部１１の表面は前述のように第１方向Ａ１に向けて少し円弧状に凸となるように湾曲しており、操作つまみ５０および駆動体７０もその湾曲面に沿うように円弧状にスライド移動するが、駆動体７０のスライド移動体係合部７９，８１とスライド移動体２１０の駆動体係合部２１３，２１５との係合部分において前記駆動体７０の円弧動作はスライド移動体２１０の直線動作にスムーズに変換される。またこのとき図１０に示すように移動した側のケース１０の１つのガイド突起２１に駆動体７０の１つのガイド凹部７３が係合するので、この状態では操作つまみ５０および駆動体７０を第２方向Ａ２へ移動させることができない。
【００４１】
前記操作つまみ５０の前記スライド移動方向への押圧を解除すれば、前記スライド移動体弾発部材２３０の弾発力によって駆動体７０および操作つまみ５０は元の図９に示す中立静止位置（点Ｔ１）に自動復帰する。操作つまみ５０を中立静止位置（点Ｔ１）から第１方向Ａ１の反対方向に向けて移動させた際も同様の動作となる。
【００４２】
次に図９に示す中立静止位置から、操作つまみ５０を第２方向Ａ２（図９の左方向）に押圧移動すれば、駆動体弾発部材１００の弾発力に抗して、図８に示すように操作つまみ５０および駆動体７０は第２方向Ａ２の他方の端部側に移動し、図１１に示すように移動軌跡Ｔ中の点Ｔ３に位置する。このとき駆動体７０のスライド移動体係合部７９，８１はスライド移動体２１０の駆動体係合部２１３，２１５に対して駆動体係合部２１３，２１５の軸方向にスライド移動するので、第１移動検出体１５０の電気的出力は変化しない。一方駆動体７０が第２方向Ａ２に移動することで、駆動体７０の検出体当接面８５が第２移動検出体２７０の押圧部材２７３に当接してこれを押圧し、第２移動検出体２７０の電気的出力を変化する。そしてさらにこの操作つまみ５０を操作することで、スライド移動体弾発部材２３０の弾発力に抗して、図１１の状態から操作つまみ５０を第１方向Ａ１の他方側（図１１の下側）に移動すればこれと一体に駆動体７０が同一方向に移動し、図１２に示すように、移動軌跡Ｔ中の点Ｔ４に位置する。このときも図８に示すように駆動体７０のスライド移動体係合部７９，８１とスライド移動体２１０の駆動体係合部２１３，２１５は第１方向Ａ１については一体に移動するように係合しているので、スライド移動体２１０は駆動体７０とともに第１方向Ａ１の他方側に移動する。これによって摺動子２００が摺接パターン１８１上を摺動し、その位置に応じた抵抗値の出力信号が出力される。またこのときも図１２に示すように移動した側のケース１０の１つのガイド突起２１に駆動体７０の１つのガイド凹部７３が係合するので、この状態では操作つまみ５０および駆動体７０を第２方向Ａ２へ移動することはできない。
【００４３】
前記操作つまみ５０の前記スライド移動方向への押圧を解除すれば、前記スライド移動体弾発部材２３０の弾発力によって駆動体７０および操作つまみ５０はまず図１１に示す位置（点Ｔ３）に自動復帰し、さらに駆動体弾発部材１００の弾発力によって駆動体７０および操作つまみ５０は図９に示す中立静止位置（点Ｔ１）に自動復帰する。操作つまみ５０を中立静止位置（点Ｔ１）から点Ｔ３に移動してさらに第１方向Ａ１の反対方向に向けて移動させた際も同様の動作となる。
【００４４】
つまりこの多方向スライド型電子部品１においては、第１方向Ａ１の位置に応じて異なる第１移動検出体１５０の電気的出力と、第２方向Ａ２の位置に応じて異なる第２移動検出体２７０の電気的出力の組み合わせによって、操作つまみ５０の移動位置を検出することができる。
【００４５】
以上説明したようにこの多方向スライド型電子部品１は、ケース１０と、ケース１０の上面に沿って交差する第１，第２方向Ａ１，Ａ２に移動自在に設置される操作つまみ５０と、ケース１０の下面側に設置され、操作つまみ５０と一体に移動する駆動体７０と、駆動体７０の第１方向Ａ１への移動に伴って駆動されて電気的出力を変化する第１移動検出体１５０と、駆動体７０の第２方向Ａ２への移動に伴って駆動されて電気的出力を変化する第２移動検出体２７０と、を具備している。そして第１移動検出体１５０は、第１方向Ａ１に移動するスライド移動体２１０と、スライド移動体２１０の移動に伴って電気的出力を変化する電気的機能部（摺動子２００および摺接パターン１８１）とを有している。さらにスライド移動体２１０には第２方向Ａ２に向かって突出する駆動体係合部２１３，２１５を設け、駆動体７０には、スライド移動体２１０の駆動体係合部２１３，２１５に係合して第１方向Ａ１に対してはスライド移動体２１０を駆動体７０とともに移動し、第２方向Ａ２に対しては駆動体７０のみを移動させるスライド移動体係合部７９，８１を設けている。これによって、駆動体７０と一体に移動する操作つまみ５０を第１方向Ａ１に移動すればスライド移動体２１０はこれと一体に移動し、操作つまみ５０を第２方向Ａ２に移動すればスライド移動体２１０は元の位置にそのまま留まる。そして操作つまみ５０を第２方向Ａ２に向かう異なる位置においてそれぞれ第１方向Ａ１にスムーズかつ確実に移動することができて、各移動位置において異なる電気的出力を得ることができる。
【００４６】
また前記第１移動検出体１５０は、スライド移動体２１０を第１方向Ａ１の中立位置に自動復帰させるスライド移動体弾発部材２３０を有し、一方駆動体７０を第２方向Ａ２の一方の側に向けて弾発する駆動体弾発部材１００を設置し、これらスライド移動体弾発部材２３０および駆動体弾発部材１００によって駆動体７０をその中立静止位置（点Ｔ１）に自動復帰させている。これによって簡単な構造で容易かつ確実に、駆動体７０および操作つまみ５０を中立静止位置に自動復帰できる。
【００４７】
また駆動体７０とケース１０の間に、駆動体７０の第１方向Ａ１の中立位置から第１の方向Ａ１に向けて移動した駆動体７０の第２の方向Ａ２への移動を阻止するガイド機構（ガイド突起２１とガイド凹部７３）を設けたので、駆動体７０を第１方向Ａ１の中立位置からは第２方向Ａ２に移動できるが、第１方向Ａ１の中立位置から第１方向Ａ１に向けて移動した位置からは第２方向Ａ２へ移動できず、第２方向Ａ２への移動を第１方向Ａ１の中立位置のみで行えるようにするような使用方法が求められる場合に好適な構造となる。
【００４８】
なお本発明におけるスライド移動方向は、直線方向だけではなく、上記実施形態のように円弧方向やその他の曲線方向など、直線方向以外の各種方向を含む概念である。
【００４９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では第１，第２の方向Ａ１，Ａ２を直交する方向としたが、直交以外の交差する方向であってもよい。
【００５０】
また上記実施形態では第１移動検出体１５０としてスライド式可変抵抗器、第２移動検出体２７０として押圧式スイッチを用いたが、第１，第２移動検出体１５０，２７０は他の各種構造のスイッチ，可変抵抗器を用いてもよい。要は駆動体７０の第１方向Ａ１への移動に伴って駆動されて電気的出力（抵抗値やオンオフ信号）を変化する第１移動検出体１５０と、駆動体７０の第２方向Ａ２への移動に伴って駆動されて電気的出力（オンオフ信号や抵抗値）を変化する第２移動検出体２７０であればよい。
【００５１】
また上記実施形態では第１方向は中立位置を含めて３ポジション、第２方向Ａ２は２ポジションとしたが、それぞれ２ポジション以上の複数ポジションであってもよい。また上記実施形態では操作つまみ５０および駆動体７０の移動軌跡ＴをＨ型としたが、たとえば第１方向Ａ１の中立位置を第１方向Ａ１の一方の端部とすることで、移動軌跡を略Ｕ字型または逆Ｕ字型などとしてもよい。
【符号の説明】
【００５２】
１  多方向スライド型電子部品
１０  ケース
Ａ１  第１方向
Ａ２  第２方向
２１  ガイド突起（ガイド機構）
５０  操作つまみ
６０  摺動板
７０  駆動体
７３  ガイド凹部（ガイド機構）
７９，８１  スライド移動体係合部
１００  駆動体弾発部材
１５０  第１移動検出体
１８１  摺接パターン（電気的機能部）
２００  摺動子（電気的機能部）
２１０  スライド移動体
２１３，２１５  駆動体係合部
２３０  スライド移動体弾発部材
２７０  第２移動検出体
【図１】
2011018601.tif 000003
【図２】
2011018601.tif 000004
【図３】
2011018601.tif 000005
【図４】
2011018601.tif 000006
【図５】
2011018601.tif 000007
【図６】
2011018601.tif 000008
【図７】
2011018601.tif 000009
【図８】
2011018601.tif 000010
【図９】
2011018601.tif 000011
【図１０】
2011018601.tif 000012
【図１１】
2011018601.tif 000013
【図１２】
2011018601.tif 000014
【図１３】
2011018601.tif 000015